(57)【要約】【課題】ころ案内方式において、低速時はきしり音の発生及びころ端面摩耗・内輪つば面摩耗の発生を抑制し、高速時にころが保持器柱部に楔状に食い込むのを防ぐことができる円筒ころ軸受を提供する。【解決手段】円筒ころ軸受１０において、保持器１４の柱部１７は、円筒ころ１３をその外径側及び内径側で拘束するころ持たせ部１８、１８を有し、ころ持たせ部１８、１８は、円筒ころ１３の公転中心Ｃ１と保持器１４の軸芯Ｃ２が一致している状態から、円筒ころ１３に対する保持器１４の径方向動き量が外径側動き量＜内径側動き量となり、且つ、ポケット部１５の外径側開口幅Ｗ１＞ポケット部１５の内径側開口幅Ｗ２となるように形成される。また、柱部１７は、円環部１６，１６の内周面よりも内径側に突出し、ころ持たせ部１８、１８を構成する内径側凸部３０を有する。【選択図】図１
2018080718.tif 000002
【特許請求の範囲】
【請求項１】
内周面に外輪軌道面が形成される外輪と、
外周面に内輪軌道面が形成され、前記内輪軌道面の軸方向端部に鍔部を有する内輪と、
前記外輪軌道面と前記内輪軌道面との間に転動自在に配置される複数の円筒ころと、
一対の円環部及び該一対の円環部を軸方向に連結する複数の柱部を有し、前記複数の円筒ころを回転自在にそれぞれ保持する複数のポケット部を形成する、ころ案内方式で使用される樹脂製の保持器と、
を備える円筒ころ軸受であって、
前記保持器の柱部は、前記円筒ころをその外径側及び内径側で拘束するころ持たせ部を有し、
前記ころ持たせ部は、前記円筒ころの公転中心と前記保持器の軸芯が一致している状態から、前記円筒ころに対する保持器の径方向動き量が外径側動き量＜内径側動き量となり、且つ、前記ポケット部の外径側開口幅＞前記ポケット部の内径側開口幅となるように形成され、
前記柱部は、前記円環部の内周面よりも内径側に突出し、前記ころ持たせ部を構成する内径側凸部を有する、ことを特徴とする円筒ころ軸受。
【請求項２】
前記ポケット部の軸方向両端面から前記内径側凸部までのそれぞれの距離Ａ、Ｂと前記内径側凸部の幅Ｌの和Ａ＋Ｌ，Ｂ＋Ｌが、前記円筒ころの軸方向幅Ｃよりそれぞれ短い、ことを特徴とする請求項１に記載の円筒ころ軸受。
【請求項３】
前記ころ持たせ部の内面は単一円弧で凹状に構成される、ことを特徴とする請求項１又は２に記載の円筒ころ軸受。
【請求項４】
前記ころ持たせ部の内面には、前記円筒ころのピッチ円直径位置を通過する平面が形成されるとともに、該平面よりも外径側及び内径側には、凹状の円弧面又は、該平面に対して傾斜したテーパ面のいずれかが形成される、ことを特徴とする請求項１又は２に記載の円筒ころ軸受。
【請求項５】
前記平面よりも外径側及び内径側には、前記凹状の円弧面が形成され、
前記外径側の円弧面の曲率半径よりも、前記内径側の円弧面の曲率半径が大きい、ことを特徴とする請求項４に記載の円筒ころ軸受。
【発明の詳細な説明】
【技術分野】
【０００１】
本発明は、円筒ころ軸受に関し、特に、工作機械主軸に好適な円筒ころ軸受に関する。
【背景技術】
【０００２】
工作機械主軸に用いられる単列円筒ころ軸受は、高速回転（例えば、ｄｍＮ（＝（軸受内径＋軸受外径）÷２×回転速度（ｒｐｍ））が３５万〜７０万以上）で、且つ負のラジアルすきま条件で使用されることが多い。このような過酷な使用条件においては、保持器が、ころとの競り合いによる力を受けることから、外輪案内型の保持器を用いることがあった。
【０００３】
しかしながら、外輪案内型の保持器を用いた場合、案内面の潤滑が不十分であると、保持器と外輪の接触部で摩耗が生じ、軸受が損傷する可能性がある。また、組込み条件のばらつきによって正のラジアルすきまで組み立てられてしまった場合、ころがスキューやチルトし易くなると共に公転滑りなどにより、きしり音の発生や内輪つば面ところ端面の摩耗が発生することがある。
そこで、保持器と軌道輪との間での摩耗が発生しない、ころ案内型の保持器が種々知られている。（例えば、特許文献１〜３参照）。
【０００４】
例えば、特許文献１に記載の円筒ころ軸受では、保持器の材質は合成樹脂とし、樹脂製保持器成型時における射出成形型からの製品の離型時に生じる無理抜きを防止し、且つ、ころが保持器の柱部に楔状に食い込むのを防ぐ、外径拘束型の保持器が開示されている。外径拘束型の保持器は、運転中に遠心膨張及び熱膨張によって案内すきまが広がるため、保持器ところの過度な接触が発生せず、ある程度の高速使用条件に適している。また、正のラジアルすきまで組み込んだ場合、運転中のころは遠心力で外輪側へ押え付けられるが、外径拘束型の保持器によってポケット開口部（ころ案内部）から内輪側へ押え付けられる作用が働き、正のラジアルすきまによって生じる転動体の不規則な動き（特にスキュー運動）が規制され、きしり音の抑制や内輪つば面ところ端面の摩耗の抑制に効果がある。
【先行技術文献】
【特許文献】
【０００５】
【特許文献１】特開２００５−６９２８２号公報
【特許文献２】特開２０１３−１９９９５５号公報
【特許文献３】特開２０００−２７４４３７号公報
【発明の開示】
【発明が解決しようとする課題】
【０００６】
ところで、特許文献１のような外径拘束型の保持器は、樹脂保持器成型時の無理抜き防止の観点や、保持器の外径側開口部からのころ挿入性の観点から、ころ抱き角度をある一定より小さくすることができない。一方、ころ抱き角度が大きいと、高速条件下ではころが保持器の柱部に楔状に食い込み易くなることから、ころ抱き角度によって高速性能が決定されていると言える。
【０００７】
本発明は、上述した課題に鑑みてなされたものであり、その目的は、ころ案内方式において、低速時はきしり音の発生及びころ端面摩耗・内輪つば面摩耗の発生を抑制し、高速時にころが保持器柱部に楔状に食い込むのを防ぐことができる円筒ころ軸受を提供することにある。
【課題を解決するための手段】
【０００８】
本発明の上記目的は、下記の構成により達成される。
（１）  内周面に外輪軌道面が形成される外輪と、
外周面に内輪軌道面が形成され、前記内輪軌道面の軸方向端部に鍔部を有する内輪と、
前記外輪軌道面と前記内輪軌道面との間に転動自在に配置される複数の円筒ころと、
一対の円環部及び該一対の円環部を軸方向に連結する複数の柱部を有し、前記複数の円筒ころを回転自在にそれぞれ保持する複数のポケット部を形成する、ころ案内方式で使用される樹脂製の保持器と、
を備える円筒ころ軸受であって、
前記保持器の柱部は、前記円筒ころをその外径側及び内径側で拘束するころ持たせ部を有し、
前記ころ持たせ部は、前記円筒ころの公転中心と前記保持器の軸芯が一致している状態から、前記円筒ころに対する前記保持器の径方向動き量が外径側動き量＜内径側動き量となり、且つ、前記ポケット部の外径側開口幅＞前記ポケット部の内径側開口幅となるように形成され、
前記柱部は、前記円環部の内周面よりも内径側に突出し、前記ころ持たせ部を構成する内径側凸部を有する、ことを特徴とする円筒ころ軸受。
（２）  前記ポケット部の軸方向両端面から前記内径側凸部までのそれぞれの距離Ａ、Ｂと前記内径側凸部の幅Ｌの和Ａ＋Ｌ，Ｂ＋Ｌが、前記円筒ころの軸方向幅Ｃよりそれぞれ短い、ことを特徴とする（１）に記載の円筒ころ軸受。
（３）  前記ころ持たせ部の内面は単一円弧で凹状に構成される、ことを特徴とする（１）又は（２）に記載の円筒ころ軸受。
（４）  前記ころ持たせ部の内面には、前記円筒ころのピッチ円直径位置を通過する平面が形成されるとともに、該平面よりも外径側及び内径側には、凹状の円弧面又は、該平面に対して傾斜したテーパ面のいずれかが形成される、ことを特徴とする（１）又は（２）に記載の円筒ころ軸受。
（５）  前記平面よりも外径側及び内径側には、前記凹状の円弧面が形成され、
前記外径側の円弧面の曲率半径よりも、前記内径側の円弧面の曲率半径が大きい、ことを特徴とする（４）に記載の円筒ころ軸受。
【発明の効果】
【０００９】
本発明の円筒ころ軸受によれば、保持器の柱部は、円筒ころをその外径側及び内径側で拘束するころ持たせ部を有し、ころ持たせ部は、円筒ころの公転中心と保持器の軸芯が一致している状態から、円筒ころに対する保持器の径方向動き量が外径側動き量＜内径側動き量となり、且つ、ポケット部の外径側開口幅＞ポケット部の内径側開口幅となるように形成され、柱部は、円環部の内周面よりも内径側に突出し、ころ持たせ部を構成する内径側凸部を有する。これにより、低速時は柱部の外径側で円筒ころが案内され、円筒ころのスキューが抑制され、ころ端面摩耗防止、内輪つば面摩耗防止、きしり音防止の効果が得られる。また、高速時は、保持器の熱膨張及び遠心膨張により、内径側凸部によって開口幅を狭くした柱部の内径側で円筒ころが案内されるので、相対的に狭い内径側のころ抱き角度によって、円筒ころが保持器の柱部に楔状に食い込むのを防ぐことができる。
【図面の簡単な説明】
【００１０】
【図１】本発明の第１実施形態に係る円筒ころ軸受を示す縦断面図である。
【図２】図１の円筒ころ軸受用保持器を示す要部斜視図である。
【図３】円筒ころ及び保持器を示す、図１のＩＩＩ−ＩＩＩ線に沿った断面図である。
【図４】（ａ）は、円筒ころがころ持たせ部の外径側で拘束された状態を示す断面図であり、（ｂ）は、円筒ころがころ持たせ部の内径側で拘束された状態を示す断面図である。
【図５】本発明の第２実施形態に係る円筒ころ軸受を示す、図３に対応する断面図である。
【図６】本発明の第３実施形態に係る円筒ころ軸受を示す、図３に対応する断面図である。
【図７】（ａ）〜（ｃ）は、第３実施形態のころ持たせ部のテーパ面のテーパ角度と楔角との関係を示す図である。
【図８】（ａ）及び（ｂ）は、本発明の第１〜第２変形例を示す円筒ころ軸受の要部断面図である。
【図９】（ａ）及び（ｂ）は、本発明の第３〜第４変形例を示す円筒ころ軸受の要部断面図である。
【図１０】（ａ）〜（ｃ）は、本発明の第５〜第７変形例を示す円筒ころ軸受の要部断面図である。
【図１１】（ａ）及び（ｂ）は、本発明の第８及び第９変形例を示す円筒ころ軸受の要部断面図である。
【図１２】本発明の第１０変形例を示す円筒ころ軸受の要部断面図である。
【発明を実施するための形態】
【００１１】
以下、本発明の各実施形態に係る円筒ころ軸受を図面に基づいて詳細に説明する。
【００１２】
（第１実施形態）
図１に示すように、円筒ころ軸受１０は、内周面に外輪軌道面１１ａが形成される外輪１１と、外周面に内輪軌道面１２ａが形成される内輪１２と、外輪軌道面１１ａと内輪軌道面１２ａとの間に転動自在に配置された複数の円筒ころ１３と、複数の円筒ころ１３を回転自在にそれぞれ保持する複数のポケット部１５を形成する、ころ案内方式の樹脂製保持器１４と、を備えている。内輪１２は、内輪軌道面１２ａの軸方向両端部に鍔部１２ｂ、１２ｂを有する。
なお、円筒ころ軸受１０は、潤滑油とグリースのいずれの潤滑剤で潤滑されてもよい。
【００１３】
樹脂製保持器１４は、ポリアミド、ポリアセタール、ポリエーテルエーテルケトン、ポリイミド、ポリフェニレンサルファイドなどの合成樹脂材料からなり、必要に応じて、該樹脂に、ガラス繊維、カーボン繊維、アラミド繊維などの強化材を添加してもよい。
【００１４】
また、図１〜図４に示すように、樹脂製保持器１４は、一対の円環部１６、１６及び一対の円環部１６、１６を軸方向に連結する複数の柱部１７を有する。柱部１７の軸方向中間部１７ａには、軸方向に互いに離間して配置された一対のころ持たせ部１８、１８を有する。一対のころ持たせ部１８、１８は、所定の軸方向長さを備え、その間に位置する柱部１７の側面よりも円周方向に突出するように形成される。このように、軸方向に分割して形成される一対のころ持たせ部１８、１８は、円筒ころ１３の競り合いによって発生する力を受けた際に弾性変形することができ、柱部１７が受ける力の一部を逃がすことができる。
【００１５】
ころ持たせ部１８、１８の内面は、外径側及び内径側において、ポケット部１５の中心に向かって円周方向に突出しており、円筒ころ１３をその外径側及び内径側で拘束する。
【００１６】
また、ころ持たせ部１８，１８は、円筒ころ１３の公転中心Ｃ１と保持器１４の軸芯Ｃ２が一致している状態から、円筒ころ１３に対する保持器１４の径方向動き量が外径側動き量＜内径側動き量となるように形成されている。
【００１７】
即ち、円筒ころ１３の公転中心Ｃ１と保持器１４の軸芯Ｃ２が一致している状態からの外径側動き量、及び内径側動き量とは、図３に示すように、ピッチ円直径ＰＣＤ上に位置する円筒ころ１３に対するころ持たせ部１８との径方向に沿った外径側隙間ｇ１、及び内径側隙間ｇ２に対応する。したがって、本実施形態では、外径側隙間ｇ１よりも内径側隙間ｇ２が大きくなるように設計されている。
【００１８】
具体的に、ころ持たせ部１８，１８の内面は、円筒ころ１３の公転中心Ｃ１と保持器１４の軸芯Ｃ２が一致している状態において、ピッチ円直径ＰＣＤ上に位置する円筒ころ１３の中心Ｏに対して、内側に中心を持った単一の曲率半径Ｒによって凹状に形成されている。これにより、上記外径側隙間ｇ１と内径側隙間ｇ２との関係が与えられる。
【００１９】
また、ころ持たせ部１８、１８によって、ポケット部１５の外径側開口幅Ｗ１よりもポケット部１５の内径側開口幅Ｗ２が狭く設計されている（外径側開口幅Ｗ１＞内径側開口幅Ｗ２）。
さらに、本実施形態では、図１に示すように、一対のころ持たせ部１８、１８を含む軸方向中間部１７ａは、一対のころ持たせ部１８、１８より軸方向外側に位置する柱部１７の軸方向両端部１７ｂ、及び円環部１６、１６よりも内径側に突出する内径側凸部３０を有する。
【００２０】
このような構成により、図４に示すように、外径側のころ抱き角度αより内径側のころ抱き角度βの方を小さく設計することができる。なお、ころ抱き角度とは、保持器１４と円筒ころ１３とが径方向に相対的に移動して、一対の柱部１７、１７が円筒ころ１３と接する各点と円筒ころ１３の中心Ｏとを結ぶ各線分が交差する角度を言う。
【００２１】
そして、円筒ころ軸受１０は、低速時は円筒ころ１３が柱部１７の外径側で案内され、円筒ころ１３のスキューが抑制されるので、ころ端面の摩耗や、内輪つば面の摩耗、きしり音の発生が抑制される。なお、外径側のころ抱き角度αが大きいことによる、円筒ころ１３が柱部１７に楔状に食い込む現象は、低速であるため問題とはならない。
【００２２】
また、所定の回転数以上（ｄｍｎ３５万〜７０万以上）の高速時は、熱膨張及び遠心膨張により保持器１４が相対膨張することで開口幅の狭い柱部１７の内径側で案内される。これにより、ころ持たせ部１８、１８の外径側の内面は非案内面となり、また、内径側の内面では、相対的に小さい内径側のころ抱き角度βにより、円筒ころ１３が保持器１４の柱部１７に楔状に食い込むのを防ぐことができる。
【００２３】
なお、内径側凸部３０の内径φＤｉは、ころ抱き角度βを小さくするため小さい方が好ましい。一方、円筒ころ軸受１０の組み立て性の観点から、保持器１４の内径、即ち、内径側凸部３０の内径φＤｉは、内輪１２の鍔部１２ｂの外径φＢｏより大きく設計している（φＢｏ＜φＤｉ）。但し、運転中に、保持器１４と円筒ころ１３とが相対的に径方向に移動しても、保持器１４と内輪１２が接触しないようにする必要がある。
そこで、図１に示すように、ポケット部１５の軸方向両端面から内径側凸部３０までのそれぞれの距離Ａ、Ｂと内径側凸部３０の幅Ｌの和Ａ＋Ｌ，Ｂ＋Ｌが、円筒ころ１３の軸方向幅Ｃよりそれぞれ短く設計される（Ａ＋Ｌ＜ＣかつＢ＋Ｌ＜Ｃ）。これにより、内径側凸部３０と内輪１２のつば面との接触が防止される。
【００２４】
また、保持器１４の柱部１７の内径側は、成型時に無理抜きとはならず、軸受組立時のころ挿入に対しても妨げとならない。詳細には、射出成形において保持器１４を製作する場合、成形型のうち、各ポケットを形成するための各型部材は、成形後の離型時、半径方向側に向かって放射状に抜き取られる（所謂、ラジアルドロー型）。従って、ポケット中心側に出っ張っているころ持たせ部１８は、無理抜きとはならない。また、保持器１４のポケット部１５へ円筒ころ１３を挿入する場合も、円筒ころ１３は、外径側開口部からポケット部１５へ挿入されるので、同様に、ころ持たせ部１８は関係しない。
【００２５】
以上説明したように、本実施形態の円筒ころ軸受１０によれば、保持器１４の柱部１７は、円筒ころ１３をその外径側及び内径側で拘束するころ持たせ部１８、１８を有し、ころ持たせ部１８、１８は、円筒ころ１３の公転中心Ｃ１と保持器１４の軸芯Ｃ２が一致している状態から、円筒ころ１３に対する保持器１４の径方向動き量が外径側動き量＜内径側動き量となり、且つ、ポケット部１５の外径側開口幅Ｗ１＞ポケット部１５の内径側開口幅Ｗ２となるように形成される。また、柱部１７は、円環部１６，１６の内周面よりも内径側に突出し、ころ持たせ部１８、１８を構成する内径側凸部３０を有する。これにより、低速時は柱部１７の外径側で円筒ころ１３が案内され、円筒ころ１３のスキューが抑制され、ころ端面摩耗防止、内輪つば面摩耗防止、きしり音防止の効果が得られる。また、高速時は、熱膨張及び遠心膨張により、開口幅Ｗ２を狭くした柱部１７の内径側で円筒ころ１３が案内されるので、相対的に狭い内径側のころ抱き角度βによって、円筒ころ１３が保持器１４の柱部１７に楔状に食い込むのを防ぐことができる。
【００２６】
また、ポケット部１５の軸方向両端面から内径側凸部３０までのそれぞれの距離Ａ、Ｂと内径側凸部３０の幅Ｌの和Ａ＋Ｌ，Ｂ＋Ｌが、円筒ころ１３の軸方向幅Ｃよりそれぞれ短いので、運転中に、内径側凸部３０と内輪１２のつば面との接触が防止される。
【００２７】
さらに、ころ持たせ部１８、１８の内面１９は、単一円弧で凹状に構成されるので、加工性のよい形状で、上記効果を達成することができる。
【００２８】
（第２実施形態）
図５は、第２実施形態の円筒ころ軸受における円筒ころ及び保持器を示す断面図である。本実施形態では、ころ持たせ部１８，１８の内面１９の形状において、第１実施形態のものと異なる。
【００２９】
第２実施形態では、ころ持たせ部１８，１８の内面１９は、円筒ころ１３のピッチ円直径ＰＣＤ位置を通過する平面１９ａと、該平面１９ａよりも外径側及び内径側に形成される凹状の円弧面１９ｂ、１９ｃと、を有する。
【００３０】
外径側の円弧面１９ｂは、円筒ころ１３の公転中心Ｃ１と保持器１４の軸芯Ｃ２が一致している状態において、ピッチ円直径ＰＣＤ上に位置する円筒ころ１３の中心Ｏに対して、内側に中心を持った曲率半径Ｒ１によって凹状に形成される。また、内径側の円弧面１９ｃは、円筒ころ１３の公転中心Ｃ１と保持器１４の軸芯Ｃ２が一致している状態において、ピッチ円直径ＰＣＤ上に位置する円筒ころ１３の中心Ｏに対して、外側に中心を持った曲率半径Ｒ２によって凹状に形成される。また、内径側のころ抱き角度βを小さくするように、外径側の円弧面１９ｂの曲率半径Ｒ１よりも、内径側の円弧面１９ｃの曲率半径Ｒ２が大きい。これにより、平面１９ａと円弧面１９ｃとの接続部付近には、潤滑溜り２０が形成され、潤滑寿命向上の効果が得られる。
【００３１】
また、この様な内面１９を有するころ持たせ部１８、１８においても、円筒ころ１３の公転中心Ｃ１と保持器１４の軸芯Ｃ２が一致している状態から、円筒ころ１３に対する保持器１４の径方向動き量が外径側動き量＜内径側動き量となり、且つ、ポケット部１５の外径側開口幅Ｗ１＞ポケット部１５の内径側開口幅Ｗ２となる点、また、柱部１７は、円環部１６，１６の内周面よりも内径側に突出し、ころ持たせ部１８、１８を構成する内径側凸部３０を有する点は、第１実施形態と同様であり、第１実施形態と同様の効果を奏することができる。
【００３２】
（第３実施形態）
図６は、第３実施形態の円筒ころ軸受における円筒ころ及び保持器を示す断面図である。本実施形態でも、ころ持たせ部１８，１８の内面１９の形状において、第１実施形態のものと異なる。
【００３３】
第３実施形態では、ころ持たせ部１８，１８の内面１９は、円筒ころ１３のピッチ円直径ＰＣＤ位置を通過する平面１９ａと、該平面１９ａよりも外径側に形成される凹状の円弧面１９ｂと、該平面１９ａよりも内径側に形成されるテーパ面１９ｄと、を有する。
【００３４】
外径側の円弧面１９ｂは、円筒ころ１３の公転中心Ｃ１と保持器１４の軸芯Ｃ２が一致している状態において、ピッチ円直径ＰＣＤ上に位置する円筒ころ１３の中心Ｏに対して、内側に中心を持った曲率半径Ｒ１によって凹状に形成される。また、内径側のテーパ面１９ｄは、該平面１９ａに対してポケット部１５の中心に向かって傾斜している。これにより、本実施形態においても、平面１９ａとテーパ面１９ｄとの接続部付近には、潤滑溜り２０が形成され、潤滑寿命向上の効果が得られる。
【００３５】
また、該平面１９ａに対するテーパ面１９ｄのテーパ角度θは、エッジ当たりする角度θ１（図７（ａ）参照）より小さく、柱部１７に食い込む角度θ３（図７（ｃ）参照）よりも大きくなる範囲で調整されればよい。また、テーパ角度θは、内径側のころ抱き角度βに対応し、図７（ａ）〜（ｃ）に示すように、テーパ角度がθ１＞θ２＞θ３である時、ころ抱き角度βは、β１＜β２＜β３となる。
【００３６】
この様な内面１９を有するころ持たせ部１８、１８においても、円筒ころ１３の公転中心Ｃ１と保持器１４の軸芯Ｃ２が一致している状態から、円筒ころ１３に対する保持器１４の径方向動き量が外径側動き量＜内径側動き量となり、且つ、ポケット部１５の外径側開口幅Ｗ１＞ポケット部１５の内径側開口幅Ｗ２となる点、また、柱部１７は、円環部１６，１６の内周面よりも内径側に突出し、ころ持たせ部１８、１８を構成する内径側凸部３０を有する点は、第１実施形態と同様であり、第１実施形態と同様の効果を奏することができる。
【００３７】
なお、本発明は、前述した実施形態に限定されるものでなく、適宜、変形、改良等が可能である。
例えば、柱部１７の軸方向中間部１７ａの形状は、図８〜図１０に示すように、変形可能である。
即ち、図８（ａ）に示すように、柱部１７の軸方向中間部１７ａは、内径側凸部３０のみを有してもよいし、図８（ｂ）に示すように、柱部１７の軸方向中間部１７ａが、内径側凸部３０及び、外径側に突出する外径側凸部３１を有してもよい。
【００３８】
また、図９（ａ）及び（ｂ）に示すように、内径側凸部３０の軸方向両端面は、テーパ面３３、３３としてもよく、これにより、内径側凸部３０に作用する力の応力集中を緩和することができると共に、潤滑剤の給排油性を向上することができる。
【００３９】
さらに、図１０（ａ）及び（ｂ）に示すように、内径側凸部３０が軸方向に離間して分割して形成されてもよく、図１０（ｃ）に示すように、内径側及び外径側凸部３０、３１の両方が、軸方向に離間して分割して形成されてもよい。特に、軸方向に分離された複数の内径側凸部３０、３０間に形成される逃げ部３２は、柱部１７の円周方向に亘って潤滑剤を保持し、潤滑性に寄与する。
【００４０】
また、図１１（ａ）及び（ｂ）に示すように、円環部１６，１６の径方向厚さを増加することで、保持器１４の強度アップを図ってもよい。具体的には、図１１（ａ）に示す変形例の場合には、円環部１６、１６の外周面を柱部１７（ころ持たせ部１８）の外径より大きくすればよく、また、図１１（ｂ）に示す変形例の場合には、円環部１６、１６の外周面を外径側凸部３１（ころ持たせ部１８）の外径より大きくすればよい。これにより、円筒ころ１３の適正な開口幅を確保しつつ、円環部１６、１６の強度アップを行うことができる。
また、これらの変形例では、柱部１７の軸方向両端部は、柱部１７の外周面と円環部１６，１６の外周面とを接続する傾斜面１７ｃを有し、この傾斜面１７ｃによって柱部１７の肉厚が増加することで、柱部１７の強度もアップすることができる。
【００４１】
さらに、本発明は、単列円筒ころ軸受に限定されず、図１２に示すような複列円筒ころ軸受に適用されてもよい。
【符号の説明】
【００４２】
１０  円筒ころ軸受
１１  外輪
１１ａ  外輪軌道面
１２  内輪
１２ａ  内輪軌道面
１３  円筒ころ
１４  保持器（円筒ころ軸受用樹脂製保持器）
１５  ポケット部
１６  円環部
１７  柱部
１７ａ  柱部の軸方向中間部
１７ｂ  柱部の軸方向端部
１８  ころ持たせ部
１９ａ  平面
１９ｂ  円弧面
１９ｃ  円弧面
１９ｄ  テーパ面
２０  潤滑溜り
ＰＣＤ  ころピッチ円直径
【図１】
2018080718.tif 000003
【図２】
2018080718.tif 000004
【図３】
2018080718.tif 000005
【図４】
2018080718.tif 000006
【図５】
2018080718.tif 000007
【図６】
2018080718.tif 000008
【図７】
2018080718.tif 000009
【図８】
2018080718.tif 000010
【図９】
2018080718.tif 000011
【図１０】
2018080718.tif 000012
【図１１】
2018080718.tif 000013
【図１２】
2018080718.tif 000014